(57)【要約】【課題】閉状態においても使用者が表示部における所定の情報を視認可能であり、該表示部の面積も確保できる携帯型電子機器を提供する。【解決手段】第一の筐体と第二の筐体をヒンジにより回動可能に接続した携帯電子機器において、前記第二の筐体の表面に表示画面に触れると入力が可能な操作表示器と操作ボタンを設け、前記ヒンジにより前記第一の筐体と前記第二の筐体を回動させて閉じた状態ときに前期操作表示器の少なくとも一部が見えるように第一の筐体に窓部を設け、前期第一の筐体と前記第二の筐体のなす所定の角度により前期操作表示器の表示機能と入力機能とを制御する。【選択図】    図１
2005026818.tif 000002
【特許請求の範囲】
【請求項１】
第一の筐体と第二の筐体をヒンジにより回動可能に接続した携帯電子機器において、前記第二の筐体の表面に表示画面に触れると入力が可能な操作表示器と操作ボタンを設け、前記ヒンジにより前記第一の筐体と前記第二の筐体を回動させて閉じた状態ときに前期操作表示器の少なくとも一部が見えるように第一の筐体に窓部を設け、前期第一の筐体と前記第二の筐体のなす所定の角度により前期操作表示器の表示機能と入力機能とを制御することを特徴とする携帯電子機器。
【請求項２】
請求項１記載の携帯電子機器に開閉検出器を設け開いた状態を検出したときに前記操作表示器は表示機能と入力機能が使用でき、閉じた状態を検出したときに前期操作表示器の入力機能が使用できなくなることを特徴とする請求項１記載の携帯電子機器。
【請求項３】
請求項１記載の携帯電子機器において、前記第一の筐体と前記第二筐体のなす角度が９０度以下の場合は前期操作表示器の入力機能を使用できなく制御することを特徴とする請求項１記載の携帯電子機器。
【請求項４】
請求項１記載の携帯電子機器において、前記第一の筐体と前記第二の筐体のなす角度が９０度以上の場合は前期操作表示器の入力機能を使えるように制御することを特徴とする請求項１記載の携帯電子機器。
【請求項５】
第一の筐体と前記第一の筐体に第二の筐体をスライド可能に接続した携帯電子機器において、前記第二の筐体に表示画面に触れると入力が可能な操作表示器と操作ボタンを設け、前記第二の筐体はスライドを閉じたときと開けたときとで前記操作表示器の表示機能と入力機能とを制御することを特徴とする携帯電子機器。
【請求項６】
請求項５記載の携帯電子機器に開閉検出器を設け開いた状態を検出したときに前記操作表示器の機能は表示機能と入力機能が使用できるように制御し、閉じた状態を検出したときに前期操作表示器の機能は入力機能が使用できなくなるように制御することを特徴とする請求項５記載の携帯電子機器。
【請求項７】
請求項１から６記載の携帯電子機器は携帯電話機であることを特徴する携帯電子機器。
【請求項８】
第１筐体と、表示器を有する第２筐体とをヒンジを介して回動可能に接続した携帯型電子機器において、
前記第１筐体は、前記携帯型電子機器を閉じたときに前記第２筐体に設けられた前記表示器の少なくとも一部を外部から視認可能とするための窓部を有し、
前記携帯型電子機器は、前記第１筐体と第２筐体のなす角度に応じて前記表示器における表示内容を変える制御回路を有することを特徴とする携帯型電子機器。
【請求項９】
前記第１筐体と第２筐体のなす角度を検出する検出器を有し、
前記制御回路は、前記検出器の検出結果に応じて前記表示器における表示内容を変えることを特徴とする請求項８記載の携帯型電子機器。
【請求項１０】
前記表示器は、前記検出器の検出結果に応じて操作が可能となるタッチパネル機能を有することを特徴とする請求項９記載の携帯型電子機器。
【請求項１１】
前記制御回路は、前記第１筐体と第２筐体のなす角度が９０度以下の場合に前記表示器のタッチパネル機能の操作を不可能とすることを特徴とする請求項１０記載の携帯型電子機器。
【請求項１２】
前記制御回路は、前記第１筐体と第２筐体のなす角度が９０度以上の場合に前記表示部のタッチパネル機能の操作を可能とすることを特徴とする請求項１０記載の携帯型電子機器。
【請求項１３】
第１筐体と、表示部を有する第２筐体とをスライド可能なスライド部を介して接続した携帯型電子機器において、
前記第１筐体は、前記スライド部を閉じたときに前記第２筐体に設けられた前記表示部の少なくとも一部を外部から視認可能とするための窓部を有し、
前記携帯型電子機器は、前記スライド部の開閉状態に応じて前記表示部における表示内容を変える制御回路を有することを特徴とする携帯型電子機器。
【請求項１４】
前記スライド部の開閉状態を検出する検出器を有し、
前記制御回路は、前記検出器の検出結果に応じて前記表示部における表示内容を変えることを特徴とする請求項１３記載の携帯型電子機器。
【請求項１５】
前記表示部は、前記検出器の検出結果に応じて操作が可能となるタッチパネル機能を有することを特徴とする請求項１４記載の携帯型電子機器。
【請求項１６】
前記携帯型電子機器は携帯電話機であることを特徴とする請求項８から１５のいずれかに記載の携帯型電子機器。
【発明の詳細な説明】
【０００１】
【発明の属する技術分野】
本発明は、例えば携帯電話機等の携帯型の電子機器に関する。
【０００２】
【従来の技術】
従来の技術は、２体式携帯電話の一方の筐体に所定の情報を表示する副表示部や操作ボタンを設け、更に他方の筐体に窓部を設けて閉じているときに副表示器に表示している所定の情報を見ることができる構成の携帯電話機の技術が開示されている。副表示器は常に所定の情報を見ることができ、表示器を２つにすることで主表示器の表示情報をより多くするために設けられている。（例えば、特許文献１参照）
【０００３】
【特許文献１】
特開２００２−３４４５８６号公報（第３、４、５項、第１、２図）
【０００４】
【発明が解決しようとする課題】
しかし一方で副表示器を配置することで操作ボタンを配置する場所を制限することとなり、操作性を犠牲にしてしまうという欠点を有している。
【０００５】
【課題を解決するための手段】
本発明では以下の手段を講じて問題の解決を図った。
【０００６】
第一の筐体と第二の筐体をヒンジにより回動可能に接続した携帯電子機器において、第二の筐体に表示画面に触れると入力が可能な操作表示器と操作ボタンを設け、第一の筐体と第二の筐体を回動させ近接させた、つまり閉じた状態ときに操作表示器の少なくとも一部が見えるように第一の筐体に窓部を設け、更に、操作表示器を第一の筐体と第二の筐体を回動させ開いた状態のときに前期操作表示器は表示機能と入力機能が使え、閉じたときには表示機能のみを使えるように制御する構成とした。
【０００７】
また、筐体の開閉具合を検出する開閉検出器を設け開いた状態と閉じた状態を検出して操作表示器の入力機能を停止させる構成とした。
また、第一の筐体に第二の筐体をスライド可能に接続した携帯電子機器において、第二の筐体に表示画面に触れると入力が可能な操作表示器と操作ボタンを設け、第二の筐体をスライドさせて閉じたときと開いたときとで操作表示器の機能を切り替える構成とした。更に、開閉検出器を設けて開いた状態を検出したときに操作表示器の機能は表示機能と入力機能が可能となり、閉じた状態を検出したときに操作表示器の機能は入力機能が停止する構成とした。
【０００８】
【発明の実施の形態】
以下本発明の実施の形態について図面を参照して説明する。
【０００９】
図１は本発明の一実施の形態を示す携帯型電子機器としての携帯電話機の斜視図である。図１中の（ａ）は携帯電話機を閉じたときの斜視図であり、図１中の（ｂ）は携帯電話機を開いたときの斜視図である。図１中の（ａ）と（ｂ）とで同じ構成部分には同じ番号を用いた。
【００１０】
携帯電話機は第一の筐体１００と第二の筐体１０１を回動可能にヒンジ部１０５で接続し、開閉することができるように構成している。第一の筐体１００のヒンジ部１０５側の辺部に凹部１０４を設けてある。また第一の筐体１００に主表示器１０２を設けてある。主表示器１０２は携帯電話による通信による表示や、電話帳などの情報表示やカレンダーやスケジュール表示など様々な情報の表示を行う例えば液晶で構成されたディスプレイである。第二の筐体１０１には図中点線で囲まれた部分の操作ボタン郡１０７と操作表示器１０３が設けられている。操作ボタン郡は電話番号や記号などを入力するのに用いられるボタンである。操作表示器１０３は例えば液晶で構成されたディスプレイによる表示機能と、ペンや指などで触れることで入力可能な、いわゆるタッチパネル機能である入力機能を兼ね備えた入力装置である。筐体１００に設けられた凹部１０４により窓部１０６が構成され、閉じた状態では使用者は操作表示器１０３の画面をこの窓部１０６を介して見ることができる。窓部１０６に透明カバーを設けることで操作表示器１０３を保護することができる。
【００１１】
ここで本発明では、この携帯電話機が閉じているときは操作表示器１０３の入力機能を動作させず、開いているときは入力機能を動作させることで、操作ボタンを設けることなく入力操作を可能にした。例えば、入力機能は働くがその入力で現れた信号を無視することで実現したり、操作表示器の入力機能の部分を停止させる事などで実現できる。
【００１２】
また、筐体の開閉状態が筐体間のなす角度が９０度程度までは筐体がかぶさるので操作表示器１０３の入力には不便なので操作表示器１０３は表示機能のみができ、それ以上に開いたら入力機能も可能になるように制御することも可能である。また、筐体間のなす角度が３０度程度までならほとんどボタン操作ができないので操作表示器１０３の入力を不能にして、それ以上開いたら一応操作できるので入力を可能にする事もできる。入力しづらいまたはできない場合に操作を不能にしておくことで、窓があいているために起こる誤操作の防止となる。
【００１３】
図２は本発明の一実施の形態を示す操作表示画面である。図２中の（ａ）は携帯電話機を閉じたときの操作表示器１０３の表示画面であり、図２中の（ｂ）は携帯電話機を開いたときの操作表示器１０３の表示画面である。図２中の（ａ）と（ｂ）とで同じ構成部分には同じ番号を用い、また図１と同じ構成部分についても同じ番号を用いた。
【００１４】
図２（ａ）の操作表示器１０３の画面は携帯電話が閉じられているときの表示を示し、閉じているときにも見たい表示をしている。例えば、携帯電話機の二次電池の容量を示す電池容量表示２０１と携帯電話機の感度状況を示す感度状況表示２０２と電話番号などの情報を表示する表示エリア２０３の表示と現在時刻の表示を行う時刻表示２０４の表示をしている。閉じているときは携帯電話を使用しないときなので誤操作を防止すために操作はできないように制御している。
【００１５】
図２（ｂ）の操作表示器１０３の画面は携帯電話が開けられているときの表示を示し、開けられているときには操作表示器１０３の操作機能を動作させる制御を行い操作可能となる。画面には操作ボタンの代わりとなるボタンの配置が表示され、そのボタンをペン先や指などで触れることでボタン入力される。画面には上方向ボタン２０５、右方向ボタン２０８、下方向ボタン２０６、右方向ボタン２０７の４方向のカーソル等の移動や選択をするためのボタンと、選択されたものを決定する決定ボタン２０９が表示され、それぞれのボタンの表示されている場所を触れることでボタン操作が可能となる。
【００１６】
また、開けているときでも、操作ボタンの表示をするとともに、閉じているときに表示される内容の表示を小さくして表示をすることも可能である。そうすることで、閉じているときに表示する情報も合わせて表示させ見ることができる。主表示器１０２の表示内容と重ならないようにすることで表示画面を広く使える。
【００１７】
図３は本発明の一実施の形態を示す携帯電話機の回路構成を示すブロック図である。アンテナ３０１で電波と電気信号を変換する。無線回路３０２は規格により決められた方式の無線通信を行うための回路である。制御回路３１０は無線回路３０２の制御を行うとともに、マイク３０３とレシーバー３０４を用いて音声通信やデータ通信を制御したり、携帯電話の着信を検出したらスピーカー３０５や振動装置３０６を用いて着信報知の制御を行ったり、入力スイッチ３０７による電話番号や記号などのスイッチ入力の制御を行ったり、ＬＥＤ３０８を点灯消灯する制御を行ったりする。
【００１８】
開閉検出器３０９は筐体が開かれた状態であるか閉じられた状態であるか検出して制御回路３１０へ出力する。制御回路３１０は開閉検出器３０９からの信号を受けて、筐体が開かれた状態であれば表示制御回路３１１に対して操作ボタン表示を行うように制御して、表示制御回路３１１は操作表示器３１３に対し表示制御を行い、操作表示器３１３に操作ボタンの表示を行う。さらに制御回路３１０は操作制御回路３１２に対して操作表示器３１３を操作可能にするように制御を行い、操作制御回路３１２は操作表示器３１３にペン先や指などがふれたら入力信号に変換して制御回路３１０へ入力信号を出力する制御を行う。
【００１９】
また、制御回路３１０は開閉検出器３０９からの信号を受けて、筐体が閉じた状態であれば表示制御回路３１１に対して所定の表示を行うように制御して、表示制御回路３１１は操作表示器３１３に対し表示制御を行い、操作表示器３１３上に現在時刻の表示や電池容量表示などの所定の表示を行う。さらに制御回路３１０は操作制御回路３１２に対して操作表示器３１３を操作不能にするように制御を行い操作表示器３１３にペン先や指などがふれても操作さがなかったものとして扱うように制御する。
【００２０】
このように構成することで閉じているときには所定表示を行い、開いているときには操作表示器上に操作ボタンが表示され触れることで入力が可能になる。
【００２１】
また、開閉検出器３０９は一方の筐体に磁石を配し、閉じたときと開けたときにその磁石を検出する機構や、スイッチを設けたり、ヒンジ部に所定角度になるとスイッチが入る機構を配したり、光スイッチを配し所定の光を検出することで開閉を検出したりすることで検出が可能である。この開閉検出器は、第一の筐体と第二の筐体が対向する面、又はヒンジ部などに設けられている。
【００２２】
図４は本発明の第二の実施の形態を示す携帯電話機の斜視図である。
【００２３】
第一の筐体４００と第二の筐体４０１は電子回路を内蔵する筐体である。第二の筐体４０１は第一の筐体４００にあるレール４０７上にスライド可能に取り付けられている。マイク４０６は音声を入力するマイクである。レシーバー４０５は電話の受話音用のレシーバーである。図中点線で囲まれているボタン郡４０４は数字や記号を入力するボタン郡である。主表示画面４０２はデータ通信の情報を表示や電話番号や電話帳や様々な情報を表示する例えば液晶等で構成されたディスプレイである。操作表示器４０３は液晶ディスプレイによる表示とペン先や指などで触れることで入力可能な操作表示器である。第一の筐体４００と第二の筐体４０１の開閉に状態により操作表示器４０３の機能の制御を行う。第二の筐体４０１を閉じると操作表示器４０３は操作を禁止し、開けると操作許可する制御を行う。この第二の実施の形態における回路構成は、第一の実施の形態と同様であるので、ここでは説明は省略する。
【００２４】
【発明の効果】
以上のように説明した本発明は、筐体の開閉により操作表示器の機能を変えることにより誤操作の防止や、表示器の表示情報の重複を避けることでの表示の効率化や、副表示と操作を兼ねることによるボタン部品点数の削減や、閉じているときにでも必要な情報を見ることでき、窓部に透明カバーを設けることで操作表示装置の保護も可能となる。
【図面の簡単な説明】
【図１】本発明の一実施の形態を示す携帯電話機の斜視図である。
（ａ）は携帯電話機を閉じたときの斜視図である。
（ｂ）は携帯電話機を開いたときの斜視図である。
【図２】本発明の一実施の形態を示す操作表示器の表示画面である。
（ａ）は携帯電話機を閉じたときの操作表示器の表示画面である。
（ｂ）は携帯電話機を開いたときの操作表示器の表示画面である。
【図３】本発明の一実施の形態を示す携帯電話機のブロック図である。
【図４】本発明の第二の実施の形態を示す携帯電話機の斜視図である。
【符号の説明】
１００第一の筐体
１０１第二の筐体
１０２主表示器
１０３操作表示器
１０５ヒンジ部
４００第一の筐体
４０１第二の筐体
４０２主表示器
４０３操作表示器
４０５レシーバー
４０６マイク
４０７レール
【図１】
2005026818.tif 000003
【図２】
2005026818.tif 000004
【図３】
2005026818.tif 000005
【図４】
2005026818.tif 000006